(57)【要約】      （修正有）【課題】深部の病変部等の情報を容易に取得することができるセンサ型のガイドワイヤを提供する。【解決手段】遠位部１１及び近位部１２を有する長筒状のコアシャフト１０と、前記遠位部から前記近位部にかけて前記コアシャフトの内腔１３、１６に挿通された伝送路２０と、前記遠位部側に位置する先端部３１及び前記近位部側に位置する後端部３２を有しており、前記遠位部を覆うように配置されたコイル体３０と、前記遠位部の先端及び前記先端部の先端を互いに固定しており、前記コアシャフトの内腔と連通した貫通孔を有する先端チップ４０と、からなるガイドワイヤ１であって、前記遠位部には、前記コアシャフトの長手方向Ｌに対して垂直な方向Ｍに前記遠位部を切断して得られる切断面の断面積が前記先端チップ側に向かうにつれて漸減した細径領域１１ａが形成されている。【選択図】図１
2013202120.tif 000002
【特許請求の範囲】
【請求項１】
遠位部及び近位部を有する長筒状のコアシャフトと、
前記遠位部から前記近位部にかけて前記コアシャフトの内腔に挿通された伝送路と、
前記遠位部側に位置する先端部及び前記近位部側に位置する後端部を有しており、前記遠位部を覆うように配置されたコイル体と、
前記遠位部の先端及び前記先端部の先端を互いに固定しており、前記コアシャフトの内腔と連通した貫通孔を有する先端チップと、からなるガイドワイヤであって、
前記遠位部には、前記コアシャフトの長手方向に対して垂直な方向に前記遠位部を切断して得られる切断面の断面積が前記先端チップ側に向かうにつれて漸減した細径領域が形成されていることを特徴とするガイドワイヤ。
【請求項２】
前記細径領域は、前記近位部側から前記遠位部側にかけて前記内腔を含めて前記遠位部を斜めに切り欠くことにより形成されたテーパー部を含んでいる請求項１に記載のガイドワイヤ。
【請求項３】
前記細径領域には、前記内腔と連続した割り溝部が形成されており、
前記割り溝部には、前記伝送路が収容されている請求項２に記載のガイドワイヤ。
【請求項４】
前記遠位部には、スリットが形成されている請求項２又は３に記載のガイドワイヤ。
【請求項５】
前記スリットは、複数個形成されており、
前記スリット同士の間隔は、前記近位部側から前記遠位部側に向かうにつれて狭くなっている請求項４に記載のガイドワイヤ。
【請求項６】
前記スリットの深さは、前記近位部側から前記遠位部側に向かうにつれて深くなっている請求項５に記載のガイドワイヤ。
【発明の詳細な説明】
【技術分野】
【０００１】
本発明は、ガイドワイヤに関する。
【背景技術】
【０００２】
従来、経皮的冠動脈形成術等の血管内治療に使用される医療用機械器具の一つとして、バルーンやステント等のデバイスを病変部まで導くために使用されるガイドワイヤが知られている。
【０００３】
また、ガイドワイヤには、各種のセンサを備えるセンサワイヤと呼ばれるガイドワイヤも存在している。
これらのセンサワイヤは、血管等の管腔内に挿入して使用され、管腔内に存在する病変部等の種々の情報（例えば、血圧や細胞の状態等）を各種のセンサで検出することにより、得られた情報を治療に役立てることができる。
【０００４】
このようなセンサワイヤとして、例えば、特許文献１には、管腔を有する管状コアと、管状コアを取り囲む外側コイル体と、管状コアの遠位部及び外側コイル体の遠位部に取り付けられた端部プラグと、管腔内に挿入された光ファイバとからなるセンサワイヤが開示されている。
【０００５】
特許文献２には、管腔内に電磁マイクロセンサが組み込まれた筒状の外側部材を有するセンサワイヤが開示されている。
【０００６】
特許文献３には、管腔内にケーブルが挿入された中空管と、中空管の先端部に形成されたプラグと、中空管の先端部の内部に配置されてケーブルと連結したセンサとからなるセンサワイヤが開示されている。
【０００７】
なお、センサを備えないガイドワイヤの例として、特許文献４には、細径の先端部を有するコアシャフトと、先端部の外周を覆っており可撓性を制御する第一チップ部及び第二チップ部と、第一チップ部及び第二チップ部の外周を覆っている外側コイル体とからなるガイドワイヤが開示されている。
【０００８】
一般的に、ガイドワイヤにおいては、コアシャフトの遠位部側がガイドワイヤの遠位部であり、コアシャフトの近位部側がガイドワイヤの近位部となる。ガイドワイヤの遠位部は体内に挿入され、ガイドワイヤの近位部は医師等の手技者によって操作される。
【先行技術文献】
【特許文献】
【０００９】
【特許文献１】特表２０１１−５１７５８２号公報
【特許文献２】特開２００８−２６４５３３号公報
【特許文献３】特開２００９−１７２３８５号公報
【特許文献４】特表２００５−５１７４６２号公報
【発明の概要】
【発明が解決しようとする課題】
【００１０】
特許文献１に記載のセンサワイヤは、管状コアの形状が近位部から遠位部まで略一定の径を有する円筒状であり、遠位部の柔軟性が充分に高くないという問題がある。
【００１１】
特許文献２に記載のセンサワイヤは、ピッチが形成された管状芯部材が配置されており、遠位部の柔軟性をある程度は制御できるように形成されている。
しかしながら、特許文献２に記載の従来のセンサワイヤは、細径の遠位部を有するコアシャフトと遠位部を覆っているコイル体とからなる構成を有しておらず、近位部から遠位部まで略一定の径を有する円筒状の管状芯部材を採用した構成を有しているため、管状芯部材にピッチを設けようとも、遠位部の柔軟性が充分に高くないという問題がある。
【００１２】
特許文献３のセンサワイヤは、先端部を首振り可能に形成するために一旦縮径させた遠位部が先端チップ側に向かって拡径しており、縮径部では柔軟性が高いものの、先端チップの柔軟性が充分に高くないという問題がある。
【００１３】
特許文献４のガイドワイヤは、センサがなんら配置されておらず、各種情報を得ることができないものである。
【課題を解決するための手段】
【００１４】
本発明のガイドワイヤは、遠位部及び近位部を有する長筒状のコアシャフトと、
前記遠位部から前記近位部にかけて前記コアシャフトの内腔に挿通された伝送路と、
前記遠位部側に位置する先端部及び前記近位部側に位置する後端部を有しており、前記遠位部を覆うように配置されたコイル体と、
前記遠位部の先端及び前記先端部の先端を互いに固定しており、前記コアシャフトの内腔と連通した貫通孔を有する先端チップと、からなるガイドワイヤであって、
前記遠位部には、前記コアシャフトの長手方向に対して垂直な方向に前記遠位部を切断して得られる切断面の断面積が前記先端チップ側に向かうにつれて漸減した細径領域が形成されていることを特徴とする。
【００１５】
本発明のガイドワイヤにおいて、前記細径領域は、前記近位部側から前記遠位部側にかけて前記内腔を含めて前記遠位部を斜めに切り欠くことにより形成されたテーパー部を含んでいることが望ましい。
【００１６】
本発明のガイドワイヤにおいて、前記細径領域には、前記内腔と連続した割り溝部が形成されており、前記割り溝部には、前記伝送路が収容されていることが望ましい。
【００１７】
本発明のガイドワイヤにおいて、前記遠位部には、スリットが形成されていることが望ましい。
【００１８】
本発明のガイドワイヤにおいて、前記スリットは、複数個形成されており、前記スリット同士の間隔は、前記近位部側から前記遠位部側に向かうにつれて狭くなっていることが望ましい。
【００１９】
本発明のガイドワイヤにおいて、前記スリットの深さは、前記近位部側から前記遠位部側に向かうにつれて深くなっていることが望ましい。
【図面の簡単な説明】
【００２０】
【図１】図１（ａ）は、本発明の一実施形態に係るガイドワイヤを模式的に示す側面図であり、図１（ｂ）は、当該ガイドワイヤをその長手方向に沿って縦に切断した状態を模式的に示す縦断面図である。図１（ｃ）は、当該ガイドワイヤを模式的に示す平面図であり、図１（ｄ）は、当該ガイドワイヤをその長手方向に沿って横に切断した状態を模式的に示す横断面図である。
【図２】図２（ａ）は、図１に示すガイドワイヤのＡ−Ａ線断面図であり、図２（ｂ）は、図１に示すガイドワイヤのＢ−Ｂ線断面図であり、図２（ｃ）は、図１に示すガイドワイヤのＣ−Ｃ線断面図である。
【発明を実施するための形態】
【００２１】
（第一実施形態）
本発明の第一実施形態に係るガイドワイヤの構成及び効果について、以下に図面を用いて詳しく説明する。
なお、以下の説明では、ガイドワイヤの遠位部とコアシャフトの遠位部とをともに同じ符号で示し、ガイドワイヤの近位部とコアシャフトの近位部とをともに同じ符号で示すこととする。また、図１（ａ）〜図１（ｄ）においては、ガイドワイヤの一部又は全部の図示を省略することがあり、図１（ａ）の側面図及び図１（ｃ）の平面図においては、コイル体を切断して示している。
【００２２】
図１（ａ）〜図１（ｄ）に示す本発明のガイドワイヤ１は、遠位部１１及び近位部１２を有するコアシャフト１０と、コアシャフト１０の内腔１３に挿通された伝送路２０と、コアシャフト１０の遠位部１１を覆うように配置されたコイル体３０と、最も遠位側に位置する先端チップ４０と、コアシャフト１０及びコイル体３０を固定するロウ付け部５０とを含んで形成されている。
【００２３】
コアシャフト１０は、先端側に位置する細径領域１１ａ及び細径領域１１ａに連結した後端側に位置する中径領域１１ｂを含む遠位部１１と、遠位部１１の反対側に位置する大径の近位部１２とを有する長筒状である。
【００２４】
コアシャフト１０の内部には、遠位部１１から近位部１２にかけて、コアシャフト１０の長手方向Ｌに沿って内腔１３が貫通している。
【００２５】
遠位部１１の細径領域１１ａには、近位部１２側から遠位部１１側にかけて内腔１３を含めて遠位部１１を斜めに切り欠くことにより形成された第一テーパー部１４と、近位部１２側から遠位部１１側にかけて内腔１３を含めて遠位部１１を斜めに切り欠くことにより形成された第二テーパー部１５が断続的に形成されている。
【００２６】
具体的には、細径領域１１ａのうちで最も近位部１２側に位置する部分に、第一テーパー部１４が形成されている。
【００２７】
図２（ａ）には、コアシャフト１０の長手方向Ｌに対して垂直な方向Ｍに第一テーパー部１４を切断して得られる切断面Ｃ１を示してある。
図２（ａ）に示す第一テーパー部１４の切断面Ｃ１の断面積は、先端チップ４０側に向かうにつれてなだらかに減少しており、第一テーパー部１４は、先端チップ４０側に向かって徐々に柔軟になっている。
なお、第一テーパー部１４の切り欠きの角度及び長さは、第一テーパー部１４が容易に折損等せず、かつ、柔軟性を損なわない範囲内であれば、特に限定されない。
また、下記に述べる場合を含め、切り欠きは、例えば、グラインダ加工等による切削加工等や電解研磨等の研磨加工により行ってもよい。
【００２８】
第一テーパー部１４には、細径領域１１ａよりも近位部１２側に位置する中径領域１１ｂの内腔１３と連続した内腔１６が形成されている。
内腔１６には、中径領域１１ｂの内腔１３に挿通された伝送路２０の先端部２１が収容されている。
【００２９】
第一テーパー部１４に連続して、近位部１２側から遠位部１１側にかけて内腔１３を含めて遠位部１１をコアシャフト１０の長手方向Ｌに沿って略半分に切り欠くことにより形成された前方延出領域１７が形成されている。
【００３０】
図２（ｂ）には、コアシャフト１０の長手方向Ｌに対して垂直な方向Ｍに前方延出領域１７を切断して得られる切断面Ｃ２を示してある。
前方延出領域１７の切断面Ｃ２の断面積は、近位部１２及び中径領域１１ｂの断面積よりも小さく略一定であり、前方延出領域１７の柔軟性は略一定である。
なお、前方延出領域１７の切り欠きの量及び長さは、前方延出領域１７が容易に折損等せず、かつ、柔軟性を損なわない範囲内であれば、特に限定されない。
【００３１】
前方延出領域１７には、細径領域１１ａよりも近位部１２側に位置する中径領域１１ｂの内腔１３及び第一テーパー部１４の内腔１６と連続した割り溝部１８が形成されている。
割り溝部１８には、中径領域１１ｂの内腔１３及び第一テーパー部１４の内腔１６に挿通された伝送路２０が収容されている。
【００３２】
伝送路２０は、第一テーパー部１４の内腔１６及び割り溝部１８に収容されているので、柔軟性が高い第一テーパー部１４及び前方延出領域１７が大きく湾曲した場合であっても、第一テーパー部１４の内腔１６及び割り溝部１８により伝送路２０が支持される。
従って、伝送路２０に曲げ荷重がかかりすぎることがなく、伝送路２０が折損等しにくい。
【００３３】
前方延出領域１７に連続して、近位部１２側から遠位部１１側にかけて内腔１３全体を含めて遠位部１１を斜めに切り欠くことにより形成された第二テーパー部１５が形成されている。
【００３４】
図２（ｃ）には、コアシャフト１０の長手方向Ｌに対して垂直な方向Ｍに第二テーパー部１５を切断して得られる切断面Ｃ３を示してある。
第二テーパー部１５の幅は、先端チップ４０側に向かうにつれて徐々に狭くなっており、第二テーパー部１５の高さは、先端チップ４０側に向かうにつれて徐々に低くなっているので、図２（ｃ）に示す第二テーパー部１５の切断面Ｃ３の断面積は、先端チップ４０側に向かうにつれてなだらかに減少している。
そのため、第二テーパー部１５は、細径領域１１ｂの中でも、先端チップ４０側に向かって徐々に、かつ、最も柔軟になっている。
なお、第二テーパー部１５の切り欠きの角度及び長さは、第二テーパー部１５が容易に折損等せず、かつ、柔軟性を損なわない範囲内であれば、特に限定されない。
【００３５】
中径領域１１ｂの内腔１３及び第一テーパー部１４の内腔１６に挿通されており、割り溝部１８に収容された伝送路２０は、互いに略平行に配置された第二テーパー部１５と間隔を空けて、先端チップ４０側に向かって延在している。
そのため、第二テーパー部１５に相当する領域が湾曲した場合であっても、互いに柔軟性が異なる第二テーパー領域１５と伝送路２０とが接触しにくく、柔軟性が特に必要とされる伝送路２０の遠端部が血管等の湾曲に沿って大きく曲がることができる。なお、上述したように、第二テーパー部１５よりも近位部１２側では、第一テーパー部１４の内腔１６及び割り溝部１８に伝送路２０が収容されているので、伝送路２０の遠端部が大きく湾曲しても伝送路２０が破損しやすくなることはない。
【００３６】
図１（ａ）〜図１（ｄ）に示すように、遠位部１１の中径領域１１ｂには、コアシャフト１０の長手方向Ｌに対して垂直な方向Ｍに沿って、直線状のスリット１９が一個又は複数個形成されている。
そのため、遠位部１１の中径領域１１ｂは、スリット１９が形成されていない場合に比べて、先端チップ４０側に向かって柔軟である。
【００３７】
スリット１９は複数個形成されていることが望ましく、この場合、スリット１９同士の間隔は、近位部１２側から遠位部１１の細径領域１１ａ側に向かうにつれて狭くなっていることがより望ましい。
この場合、スリット１９の深さは、近位部１２側から遠位部１１の細径領域１１ａ側に向かうにつれて深くなっていることがさらに望ましい。
遠位部１１の中径領域１１ｂが細径領域１１ａ側に向かってより柔軟になり、細径領域１１ａと中径領域１１ｂと結合部付近での剛性差がより小さくなることにより、遠位部１１が血管の湾曲に沿ってよりスムーズに追従しやすくなるからである。
【００３８】
なお、スリットの形状としては、コアシャフト１０の長手方向Ｌに対して垂直な方向Ｍに沿って形成された直線状のスリット１９に限定されず、例えば、コアシャフト１０の長手方向Ｌを中心軸とする螺旋状のスリット等であってもよい。
【００３９】
コアシャフト１０の材料としては、例えば、ステンレス鋼、Ｎｉ−Ｔｉ合金等の超弾性合金、ピアノ線、タングステン線等の材料が挙げられる。
上記ステンレスとしては、マルテンサイト系ステンレス、フェライト系ステンレス、オーステナイト系ステンレス、オーステナイト、フェライト二相ステンレス及び析出硬化ステンレス等のステンレスが挙げられる。
これらのなかでは、オーステナイト系ステンレスであることが望ましく、特にＳＵＳ３０４、ＳＵＳ３１６又はＳＵＳ３１６Ｌであることがより望ましい。
また、細径領域１１ｂを形成する材料は、コアシャフト１０の細径領域１１ｂ以外を形成する材料よりも柔軟な材料から形成されていることがより望ましい。
【００４０】
伝送路２０は、細径領域１１ａ及び中径領域１１ｂを含む遠位部１１から近位部１２にかけてコアシャフト１０の内腔１３に挿通されている。
【００４１】
伝送路２０は、情報信号や電力等を遠位部１１と近位部１２との間で伝送することができる媒体であり、例えば、光ファイバ、ツイストペアケーブル、同軸ケーブル、フィーダ線等であってもよい。
遠位部１１から近位部１２にかけてコアシャフト１０の内腔１３に伝送路２０が挿通されているので、例えば、ガイドワイヤ１の遠位部１１を病変部近傍にまで挿入することにより、病変部近傍の情報を取得することができる。
なお、伝送路２０の先端部２１には、従来公知の各種センサ２２が取り付けられていてもよい。
【００４２】
コイル体３０は、遠位部１１側に位置する先端部３１及び近位部１２側に位置する後端部３２を有しており、遠位部１１の細径領域１１ａ及び中径領域１１ｂの大部分を覆うように配置されている。
【００４３】
コイル体３０は、ガイドワイヤ１の遠位部１１の外縁を形成しており、単一の素線を螺旋状に巻回してなるか又は複数の素線を撚り合わせてなる円筒体であって、可撓性及び弾性を有している。
【００４４】
上述した素線の材料としては、例えば、マルテンサイト系ステンレス、フェライト系ステンレス、オーステナイト系ステンレス、オーステナイト、フェライト二相ステンレス又は析出硬化ステンレス等のステンレス、Ｎｉ−Ｔｉ合金等の超弾性合金、タングステン線、放射線不透過性金属である白金、金、タングステン等の材料が挙げられる。
【００４５】
コイル体３０のうちで、細径領域１１ａの外周を覆っている部分では、素線間に空間が形成されるように素線が巻回されており、粗巻きとなっていることが望ましい。ガイドワイヤ１が先端側に向かってより柔軟になるからである。
【００４６】
コイル体３０の先端部３１の先端３１ａと遠位部１１の細径領域１１ａの先端１１ｃとは、半球状の先端チップ４０により互いに固定されている。
先端チップ４０の形状は半球状であるので、血管内壁を損傷しにくい。
【００４７】
コイル体３０の後端部３２の後端３２ａと、遠位部１１の中径領域１１ｂの後端１１ｄとは、ロウ付け部５０により互いに固定されている。
【００４８】
先端チップ４０は、遠位部１１の細径領域１１ａの先端１１ｃと先端部３１の先端３１ａとを互いに固定している。
【００４９】
先端チップ４０には、コアシャフト１０の内腔１３（近位部１２の内腔１３、中径領域１１ｂの内腔１３、細径領域１１ａの内腔１６及び割り溝部１８）と連通した貫通孔４１が形成されている。
貫通孔４１には、コアシャフト１０の内腔１３に挿通された伝送路２０の先端部２１が位置しており、先端部２１に取り付けられたセンサ２２が貫通孔４１の内部に配置されている。
そのため、一般的には外部からの衝撃等に弱いセンサ２２が先端チップ４０により保護されており、より信頼性の高いセンサ型のガイドワイヤ１とすることができる。
なお、貫通孔４１には、先端チップ４０、伝送路２０の先端部２１及びセンサ２２を確実に固定するために、信号や電力等の伝送を妨げない材料からなる接着剤等の固定部材が充填されていてもよい。
【００５０】
先端チップ４０及びロウ付け部５０の材料としては、例えば、アルミニウム合金、銀、金、亜鉛、Ｓｎ−Ｐｂ合金、Ｓｎ−Ａｕ合金、Ｐｂ−Ａｇ合金、Ｓｎ−Ａｇ合金等の材料が挙げられる。
これらの中では、金、Ｓｎ−Ａｕ合金、Ｓｎ−Ａｇ合金が特に望ましい。先端チップ及びロウ付け部の強度がより高くなるからである。
【００５１】
（本実施形態のガイドワイヤの作用効果）
コアシャフト１０の遠位部１１は、コイル体３０の先端部３１と先端チップ４０により互いに固定されているので、コアシャフト１０の近位部１２を回転させることにより発生したトルクが、コアシャフト１０の遠位部１１のみならず、先端チップ４０及びコイル体３０の先端部３１まで効率よく伝達される。
従って、ガイドワイヤ１のトルク伝達性が高く、複雑に湾曲した深部の血管等に挿入する場合であっても、ガイドワイヤ１の遠位部１１を手技者の望む方向に回転させやすく、血管選択性に優れる。
【００５２】
また、近位部側から遠位部側までコアシャフトの直径が略均一である従来のガイドワイヤ（特許文献１参照）では、遠位部の柔軟性に劣る。
しかしながら、本実施形態のガイドワイヤ１では、図２（ａ）〜図２（ｃ）に示すように、コアシャフト１０の長手方向Ｌに対して垂直な方向Ｍに遠位部１１の細径領域１１ａの一部を切断して得られる切断面（以下、単に切断面ともいう）Ｃ１〜Ｃ３を観察すると、切断面Ｃ１〜Ｃ３の断面積は先端チップ４０側に向かうにつれて漸減している（Ｃ１＞Ｃ２＞Ｃ３）。
このように、遠位部１１の細径領域１１ａには、切断面Ｃ１〜Ｃ３の断面積が先端チップ４０側に向かうにつれて漸減した細径領域１１ｂが形成されており、先端チップ４０に向うにつれて遠位部１１が柔軟になっている。
従って、ガイドワイヤ１は、先端部柔軟性に優れる。
【００５３】
血管選択性及び先端部柔軟性に優れるガイドワイヤ１は、より深部の病変部等までスムーズに進めることが可能である。
従って、ガイドワイヤ１は、先端チップ４０の貫通孔４１と連通した伝送路２０を通じて深部の病変部等の情報を容易に取得することが可能であり、取得した情報を各種手技や診断に活用することができる。
【００５４】
また、遠位部１１の細径領域１１ａには、切断面Ｃ１の断面積が先端チップ４０側に向かうにつれてなだらかに減少しており、先端チップ４０側に向かって徐々に柔軟になった第一テーパー部１４が形成されている。
さらに、前方延出領域１７を挟んで第一テーパー部１４には、切断面Ｃ３の断面積が先端チップ４０側に向かうにつれてなだらかに減少した第二テーパー部１５が結合している。
そのため、細径領域１１ａは、先端チップ４０側に向かって徐々に柔軟になっており、段差部等の剛性が急激に変化する部分が形成されていないので、血管選択性及び先端部柔軟性にさらに優れる。
しかも、第一テーパー部１４及び第二テーパー部１５に挟まれた前方延出領域１７の割り溝部１８には、伝送路２０が収容・支持されているので、柔軟性が高い第一テーパー部１４及び第二テーパー部１５を有しているものの、伝送路２０が折損等しにくい。
【００５５】
（変形例）
上述した実施形態では、コアシャフト１０の遠位部１１の細径領域１１ａに、第一テーパー部１４、前方延出領域１７及び第二テーパー部１５が形成された例について説明した。
しかしながら、細径領域１１ａの形状は係る実施形態に限定されず、細径領域１１ａには、近位部１２側から遠位部１１側にかけて内腔１３全体を含めて遠位部１１を斜めに切り欠くことにより形成された一のテーパー部のみが形成されていてもよい。
また、細径領域１１ａには、複数の細径領域と前方延出領域とが形成されていてもよい。
【００５６】
上述した実施形態において、細径領域は、近位部側から遠位部側にかけて内腔を含めて遠位部を斜めに切り欠くことにより形成されている。
しかしながら、細径領域は、内腔を含まない遠位部の一部を斜めに切り欠くことにより形成されていてもよい。
【００５７】
上述した実施形態において、前方延出領域には、割り溝部が形成されているが、割り溝部は形成されていなくてもよい。例えば、遠位部の内腔が全て除去されるように内腔を切り欠くことにより平板状の前方延出領域を形成し、形成した平板状の前方延出領域上に伝送路を載置してもよい。
【００５８】
上述した実施形態において、遠位部に複数のスリットが形成されている場合、スリット同士の間隔は一定であってもよい。
また、スリットの深さは、近位部側から遠位部側にかけて一定であってもよい。
【符号の説明】
【００５９】
１  ガイドワイヤ
１０  コアシャフト
１１  遠位部
１２  近位部
１３、１６  内腔
Ｌ  コアシャフトの長手方向
Ｍ  コアシャフトの長手方向に対して垂直な方向
Ｃ１、Ｃ２、Ｃ３  切断面
１１ａ  細径領域
２０  伝送路
３０  コイル体
３１  先端部
３２  後端部
４０  先端チップ
４１  貫通孔
【図１】
2013202120.tif 000003
【図２】
2013202120.tif 000004